(57)【要約】【課題】指と粘着域との接触を防ぐことができ、粘着域から剥離紙を容易に剥がすことができる体液吸収性着用物品を提供する。【解決手段】透液性表面シート２と不透液性裏面シート３との間に吸液性コア４が介在し、粘着剤を塗布した粘着域が前後端部５，７における裏面シート３の外面に形成され、それら粘着域に剥離紙が貼付された体液吸収性着用物品１Ａであり、前後端部５，７が中央部６に向かって縦方向内方へ折り畳まれ、さらに、中央部６が縦方向内方へ二つに折り畳まれ、それら剥離紙の外面どうしがそれら剥離紙の両端部分で固着されている。【選択図】　　　図１
2004057306.tif 000002
【特許請求の範囲】
【請求項１】
肌対向面および肌非対向面を有し、縦方向に前端部および後端部と、前記前後端部の間に位置する中央部とを備え、粘着剤を塗布した粘着域が前記前後端部の肌非対向面に形成され、前記粘着域を被覆、保護する剥離紙がそれら粘着域に各々貼付された体液吸収性着用物品において、
前記物品が、それら剥離紙どうしを互いに対向させるように縦方向へ折り畳まれ、それら剥離紙の外面どうしが、互いに当接した状態で部分的に固着されていることを特徴とする前記着用物品。
【請求項２】
前記前端部と前記後端部とが、前記肌対向面を互いに当接させるように前記中央部に向かって縦方向内方へ折り畳まれ、さらに、前記中央部が、前記前後端部の肌非対向面を互いに当接させるように縦方向内方へ二つに折り畳まれ、それら剥離紙の外面どうしが、互いに当接した状態で部分的に固着されている請求項１記載の着用物品。
【請求項３】
前記前端部に形成された粘着域と前記後端部に形成された粘着域とのいずれか一方に対する前記剥離紙の剥離強度が、他方の粘着域に対する前記剥離紙のそれよりも大きい請求項１または請求項２に記載の着用物品。
【請求項４】
前記物品が、肌対向面の側に位置する透液性表面シートと、前記肌非対向面の側に位置する不透液性裏面シートと、前記表裏面シートの間に介在する吸液性コアとから形成されている請求項１ないし請求項３いずれかに記載の着用物品。
【請求項５】
前記剥離紙の外面どうしが、反応型接着剤または自己粘着性塗料によって固着されている請求項１ないし請求項４いずれかに記載の着用物品。
【発明の詳細な説明】
【０００１】
【発明の属する技術分野】
本発明は、生理用ナプキンや吸収性パッド等の体液吸収性着用物品に関する。
【０００２】
【従来の技術】
実開昭５７−１６０７２１号公報は、肌対向面および肌非対向面を有し、縦方向に前端部および後端部と、前後端部の間に位置する中央部とを備え、粘着剤を塗布した粘着域が前後端部の肌非対向面に形成され、それら粘着域が互いに対向するように折り畳まれた生理用ナプキンを開示している。このナプキンでは、互いに対向するそれら粘着域の間に１枚の剥離紙が介在し、剥離紙の両面がそれら粘着域に剥離可能に貼付されている。このナプキンは、それら粘着域に剥離紙の両面を貼付することで、折り畳まれたナプキンが不用意に展開してしまうことはなく、ナプキンの折り畳まれた状態が維持される。
【０００３】
【発明が解決しようとする課題】
前記公報に開示のナプキンでは、それを使用するためにナプキンを展開すると、粘着域のいずれか一方から剥離紙が剥がれ、粘着域の他方に剥離紙が貼り付いたままとなる。他方の粘着域から剥離紙を剥がすには、先ず、剥離紙の端縁を粘着域から剥がす操作が必要となる。このとき、粘着域に対する剥離紙の剥離強度が高いと、粘着域から剥離紙を容易に剥がすことができない場合がある。また、粘着域から剥離紙を剥がすときに粘着域に指が接触し、指の脂や埃が粘着域に付着して粘着域の接着力が低下する場合がある。
【０００４】
本発明の課題は、指と粘着域との接触を防ぐことができ、粘着域から剥離紙を容易に剥がすことができる体液吸収性着用物品を提供することにある。
【０００５】
【課題を解決するための手段】
前記課題を解決するための本発明の前提は、肌対向面および肌非対向面を有し、縦方向に前端部および後端部と、前記前後端部の間に位置する中央部とを備え、粘着剤を塗布した粘着域が前記前後端部の肌非対向面に形成され、前記粘着域を被覆、保護する剥離紙がそれら粘着域に各々貼付された体液吸収性着用物品である。
【０００６】
前記前提における本発明の特徴は、前記物品がそれら剥離紙どうしを互いに対向させるように縦方向へ折り畳まれ、それら剥離紙の外面どうしが互いに当接した状態で部分的に固着されていることにある。
【０００７】
本発明の実施の態様の一例としては、前記前端部と前記後端部とが前記肌対向面を互いに当接させるように前記中央部に向かって縦方向内方へ折り畳まれ、さらに、前記中央部が前記前後端部の肌非対向面を互いに当接させるように縦方向内方へ二つに折り畳まれ、それら剥離紙の外面どうしが互いに当接した状態で部分的に固着されている
本発明の実施の態様の他の一例としては、前記前端部に形成された粘着域と前記後端部に形成された粘着域とのいずれか一方に対する前記剥離紙の剥離強度が、他方の粘着域に対する前記剥離紙のそれよりも大きい。
【０００８】
本発明の実施の態様の他の一例としては、前記物品が、肌対向面の側に位置する透液性表面シートと、前記肌非対向面の側に位置する不透液性裏面シートと、前記表裏面シートの間に介在する吸液性コアとから形成されている。
【０００９】
本発明の実施の態様の他の一例としては、前記剥離紙の外面どうしが、反応型接着剤または自己粘着性塗料によって固着されている。
【００１０】
【発明の実施の形態】
添付の図面を参照し、本発明にかかる体液吸収性着用物品の詳細を、おむつカバーの内面に取り付けて使用する吸収性パッドとショーツの内面に取り付けて使用する生理用ナプキンとを例として説明すると、以下のとおりである。
【００１１】
図１，２は、吸収性パッド１Ａの斜視図と、図１のＩＩ−ＩＩ線端面図とであり、図３，４は、中央部６が展開されたパッド１Ａの斜視図と、図３の状態からさらに前後端部５，７が展開されたパッド１Ａの部分破断斜視図とである。図３，４では、横方向を矢印Ｘで示し、縦方向を矢印Ｙで示す。図４は、パッド１Ａを裏面シート３の側から示している。なお、表裏面シート２，３や剥離紙１０，１１の内面とは、コア４に対向する面をいい、それらの外面とは、コア４に非対向の面をいう。
【００１２】
パッド１Ａは、肌対向側に位置する透液性表面シート２と、肌非対向側に位置する不透液性裏面シート３と、表裏面シート２，３の間に介在してそれらシート２，３のうちの少なくとも一方の内面に固着された吸液性コア４とから構成されている。
【００１３】
パッド１Ａは、縦長矩形を呈し、縦方向に前端部５および後端部７と、前後端部５，７の間に位置する中央部６とを有する。パッド１Ａでは、表面シート２の外面が肌対向面を形成し、裏面シート３の外面が肌非対向面を形成している。
【００１４】
表面シート２と裏面シート３とは、コア４の周縁から周方向外方へ延びる部分が互いに重なり合った状態で固着されている。前後端部５，７における裏面シート３の外面には、図３，４に示すように、粘着剤が塗布された粘着域８，９が形成されている。粘着域８，９の全域には、それら粘着域８，９を被覆、保護するための剥離紙１０，１１が貼付されている。粘着域８，９と剥離紙１０，１１とは、前端部５と後端部７とを横方向へ延びている。
【００１５】
パッド１Ａは、前端部５と後端部７とが表面シート２の外面を互いに当接させるように中央部６に向かって縦方向内方へ折り畳まれ、さらに、中央部６が前後端部５，７における裏面シート３の外面を互いに当接させるように縦方向内方へ二つに折り畳まれている。
【００１６】
折り畳まれた状態にあるパッド１Ａでは、前後端部５，７の粘着域８，９が互いに対向するとともに、剥離紙１０，１１の外面が互いに当接している。剥離紙１０，１１は、それらの両端部分１０ａ，１１ａにおける外面どうしが接着剤１２を介して固着されている。
【００１７】
パッド１Ａでは、前端部５に形成された粘着域８に対する剥離紙１０の剥離強度が後端部７に形成された粘着域９に対する剥離紙１１の剥離強度よりも大きい。換言すれば、前端部５に形成された粘着域８の粘着力が後端部７に形成された粘着域９の粘着力よりも大きい。なお、剥離紙１０，１１の外面どうしの剥離強度は、粘着域８，９に対する剥離紙１０，１１の剥離強度よりも大きい。
【００１８】
パッド１Ａでは、それら剥離紙１０，１１の両端部分１０ａ，１１ａにおける外面どうしが固着され、かつ、それら剥離紙１０，１１の内面が粘着域８，９に貼付されているので、前後端部５，７が剥離紙１０，１１を介して互いに連結される。ゆえに、折り畳まれたパッド１Ａが不用意に展開してしまうことはなく、パッド１Ａの折り畳まれた状態が維持される。
【００１９】
パッド１Ａを使用するには、その中央部６を展開した後、その前後端部５，７を展開し、粘着域８，９から剥離紙１０，１１を剥がして粘着域８，９を露出させる。次に、粘着域８，９を介してパッド１Ａをおむつカバー（図示せず）の内面に取り付ける。
【００２０】
中央部６が展開されたパッド１Ａは、図３に示すように、剥離紙１１が後端部７の粘着域９から剥がれ、それら剥離紙１０，１１が前端部５の粘着域８に貼り付いたままとなる。剥離紙１０と剥離紙１１とは、それらの両端部分１０ａ，１１ａが固着されているので、剥離紙１０，１１どうしが離れてしまうことはない。
【００２１】
粘着域９から剥がれた剥離紙１１は、図４に示すように、その中央部分１１ｂが粘着域８から剥離紙１０を剥がすときの摘み１３を形成する。剥離紙８を粘着域１０から剥がすには、剥離紙１１の中央部分１１ｂを指で摘持して剥離紙１１を粘着域８から離間させる方向へ引っ張ればよい。剥離紙１１の中央部分１１ｂを引っ張ると、剥離紙１０の両端部分１０ａに剥離力が生じるので、剥離紙１０を粘着域８から容易に剥がすことができる。
【００２２】
パッド１Ａでは、剥離紙１１の中央部分１１ｂが摘み１３を形成するので、剥離紙１０を粘着域８から剥がすときに、剥離紙１０の端縁を剥がす必要はない。このパッド１Ａは、指と粘着域８，９との接触を防ぐことができるので、粘着域８，９に指の脂や埃が付着せず、粘着域８，９の粘着力が低下することはない。
【００２３】
パッド１Ａは、前端部５に形成された粘着域８に対する剥離紙１０の剥離強度が後端部７に形成された粘着域９に対する剥離紙１１のそれよりも大きいので、パッド１Ａの中央部６を展開したときに、それら剥離紙１０，１１が同時に粘着域８，９から剥がれてしまうことはない。それら粘着域１０，１１を介してパッド１Ａをおむつカバーの内面に取り付けるときは、後端部７の粘着域９をおむつカバーに貼付した後、粘着域８から剥離紙１０を剥がし、前端部５の粘着域８をおむつカバーに貼付する。このパッド１Ａでは、それら粘着域８，９が同時に露出することはなく、粘着域９をおむつカバーに貼付する際、粘着域８がおむつカバーに不用意に貼り付いてしまうことを防ぐことができる。
【００２４】
図５，６は、図１とは異なる態様の中央部６が展開された吸収性パッド１Ｂの斜視図と、図５の状態からさらに前後端部５，７が展開されたパッド１Ｂの斜視図とである。図６は、パッド１Ｂを裏面シート３の側から示している。
【００２５】
このパッド１Ｂは、図示はしていないが、図１のそれと同様に、前端部５と後端部７とが表面シート２の外面を互いに当接させるように中央部６に向かって縦方向内方へ折り畳まれ、さらに、中央部６が前後端部５，７おける裏面シート３の外面を互いに当接させるように縦方向内方へ二つに折り畳まれている。
【００２６】
このパッド１Ｂが図１のそれと異なる点は、剥離紙１０，１１の外面どうしがそれらの中央部分１０ｂ，１１ｂで固着されていることにある。剥離紙１０，１１の外面どうしは、接着剤１２を介して固着されている。中央部６が展開されたパッド１Ｂは、図５に示すように、剥離紙１１が後端部７の粘着域９から剥がれ、それら剥離紙１０，１１が前端部５の粘着域８に貼り付いたままとなる。剥離紙１０，１１は、それらの中央部分１０ｂ，１１ｂが固着されているので、剥離紙１０，１１どうしが離れてしまうことはない。
【００２７】
粘着域９から剥がれた剥離紙１１は、図６に示すように、その両端部分１１ａが剥離紙１０の外面から離間する方向へめくれ、両端部分１１ａが粘着域８から剥離紙１０を剥がすときの摘み１３を形成する。剥離紙１０を粘着域８から剥がすには、剥離紙１１の両端部分１１ａを指で摘持して剥離紙１１を粘着域８から離間させる方向へ引っ張ればよい。
【００２８】
このパッド１Ｂでは、剥離紙１１の両端部分１１ａが摘み１３を形成するので、剥離紙１０を粘着域８から容易に剥がすことができる。パッド１Ｂは、剥離紙１０を粘着域８から剥がすときに、剥離紙１０の端縁を剥がす必要はなく、指と粘着域８，９との接触を防ぐことができる。
【００２９】
図７，８は、生理用ナプキン１Ｃの斜視図と、図７のＶＩＩＩ−ＶＩＩＩ線端面図とであり、図９は、展開されたナプキン１Ｃの部分破断斜視図である。図９では、横方向を矢印Ｘで示し、縦方向を矢印Ｙで示す。図９は、ナプキン１Ｃを裏面シート３の側から示している。
【００３０】
ナプキン１Ｃは、肌対向側に位置する透液性表面シート２と、肌非対向側に位置する不透液性裏面シート３と、表裏面シート２，３の間に介在してそれらシート２，３のうちの少なくとも一方の内面に固着された吸液性コア４とから構成されている。
【００３１】
ナプキン１Ｃは、縦長矩形を呈し、縦方向に前端部５および後端部７と、前後端部５，７の間に位置する中央部６とを有する。ナプキン１Ｃでは、表面シート２の外面が肌対向面を形成し、裏面シート３の外面が肌非対向面を形成している。
【００３２】
表面シート２と裏面シート３とは、コア４の周縁から周方向外方へ延びる部分が互いに重なり合った状態で固着されている。前後端部５，７における裏面シート３の外面には、図９に示すように、粘着剤が塗布された粘着域８，９が形成されている。粘着域８，９の全域には、それら粘着域８，９を被覆、保護するための剥離紙１０，１１が貼付されている。粘着域８，９と剥離紙１０，１１とは、前端部５と後端部７とを横方向へ延びている。
【００３３】
ナプキン１Ｃは、裏面シート３の外面を互いに当接させるように縦方向へ二つに折り畳まれている。折り畳まれた状態にあるナプキン１Ｃでは、前後端部５，７の粘着域８，９が互いに対向するとともに、剥離紙１０，１１の外面が互いに当接している。剥離紙１０，１１は、それらの一端部分１０ｃ，１１ｃにおける外面どうしが接着剤１２を介して固着されている。
【００３４】
ナプキン１Ｃでは、前端部５に形成された粘着域８に対する剥離紙１０の剥離強度が後端部７に形成された粘着域９に対する剥離紙１１の剥離強度よりも大きい。換言すれば、前端部５に形成された粘着域８の粘着力が後端部７に形成された粘着域９の粘着力よりも大きい。なお、剥離紙１０，１１の外面どうしの剥離強度は、粘着域８，９に対する剥離紙１０，１１の剥離強度よりも大きい。
【００３５】
ナプキン１Ｃでは、それら剥離紙１０，１１の一端部分１０ｃ，１１ｃにおける外面どうしが固着され、かつ、それら剥離紙１０，１１の内面が粘着域８，９に貼付されているので、前後端部５，７が剥離紙１０，１１を介して互いに連結される。ゆえに、折り畳まれたナプキン１Ｃが不用意に展開してしまうことはなく、ナプキン１Ｃの折り畳まれた状態が維持される。
【００３６】
ナプキン１Ｃを使用するには、それを展開し、粘着域８，９から剥離紙１０，１１を剥がして粘着域８，９を露出させる。次に、粘着域８，９を介してナプキン１Ｃをショーツ（図示せず）の内面に取り付ける。
【００３７】
展開されたナプキン１Ｃは、図９に示すように、剥離紙１１が後端部５の粘着域９から剥がれ、それら剥離紙１０，１１が前端部５の粘着域８に貼り付いたままとなる。剥離紙１０と剥離紙１１とは、それらの一端部分１０ｃ，１１ｃが固着されているので、剥離紙１０，１１どうしが離れてしまうことはない。
【００３８】
粘着域９から剥がれた剥離紙１１は、その他端部分１１ｄが粘着域８から剥離紙１０を剥がすときの摘み１３を形成する。剥離紙１０を粘着域８から剥がすには、剥離紙１１の他端部分１１ｄを指で摘持して剥離紙１１を粘着域８から離間させる方向へ引っ張ればよい。剥離紙１１の他端部分１１ｄを引っ張ると、剥離紙１０の一端部分１０ｃに剥離力が生じるので、剥離紙１０を粘着域８から容易に剥がすことができる。
【００３９】
ナプキン１Ｃでは、剥離紙１１の他端部分１１ｄが摘み１３を形成するので、剥離紙１０を粘着域８から剥がすときに、剥離紙１０の端縁を剥がす必要はない。このナプキン１Ｃは、指と粘着域８，９との接触を防ぐことができるので、粘着域８，９に指の脂や埃が付着せず、粘着域８，９の粘着力が低下することはない。
【００４０】
ナプキン１Ｃは、前端部５に形成された粘着域８に対する剥離紙１０の剥離強度が後端部７に形成された粘着域９に対する剥離紙１１のそれよりも大きいので、ナプキン１Ｃを展開したときに、それら剥離紙１０，１１が同時に粘着域８，９から剥がれてしまうことはない。それら粘着域８，９を介してナプキン１Ｃをショーツの内面に取り付けるときは、後端部７の粘着域９をショーツに貼付した後、粘着域８から剥離紙１０を剥がし、前端部５の粘着域８をショーツの内面に貼付する。このナプキン１Ｃでは、それら粘着域８，９が同時に露出することはなく、粘着域９をショーツに貼付する際、粘着域８がショーツに不用意に貼り付いてしまうことを防ぐことができる。
【００４１】
それら図示のパッド１Ａ，１Ｂやナプキン１Ｃでは、後端部７に形成された粘着域９に対する剥離紙１１の剥離強度が前端部５に形成された粘着域８に対する剥離紙１０のそれより大きくてもよい。また、それら図示のパッド１Ａ，１Ｂやナプキン１Ｃでは、前端部５に形成された粘着域８と後端部７に形成された粘着域９とに対する剥離紙１０，１１の剥離強度が同一であってもよい。なお、粘着域８，９に対する剥離紙１０，１１の剥離強度は、３〜５Ｎの範囲にあることが好ましい。
【００４２】
粘着剤には、アクリル系粘着剤やゴム系粘着剤、ホットメルト型粘着剤を使用することができる。剥離紙１０，１１には、上質紙やクラフト紙、グラシン紙、プラスチックフィルム等を使用することができる。剥離紙１０，１１は、可撓性を有し、その内面に剥離剤が塗布されている。剥離剤には、シリコン樹脂やフッ素樹脂、アミノアルキド樹脂、ポリエステル樹脂等を使用することができる。
【００４３】
剥離紙１０，１１の外面どうしの固着には、ホットメルト型接着剤を使用することが好ましいが、ホットメルト型接着剤の他に、反応型接着剤（縮合反応型、付加反応型、ラジカル重合型）や自己粘着性塗料（感圧型）、フック部材およびループ部材からなるメカニカルファスナのいずれかを使用することもできる。
【００４４】
反応型接着剤としては、熱や紫外線等を付加することで接着力を発揮するものや別個に塗工された２成分が重ね合わされることで接着力を発揮するものがある。また、自己粘着性とは、自己以外の材料に当接しても殆ど粘着性を示さないが、同じ材料の粘着面どうしを当接すると、両者の間に粘着性が生じる特性を有し、外部から加圧すると粘着流動性を示す一方、圧力を解除すると固着する特性を有する。このような自己粘着性は、天然ゴムや合成ゴム等のゴム系粘着剤から得られる。たとえば、ブタジエン−スチレン共重合体、ポリスチレン、ポリ酢酸ビニル、アクリル酸樹脂等のラテックスを剥離紙の外面に塗布する。
【００４５】
このように、剥離紙１０，１１の外面どうしの固着に反応型接着剤や自己粘着性塗料を使用した場合は、剥離紙１０，１１の周縁からの接着剤の滲出を防ぐことができ、剥離紙１０，１１がその外面に塗布された接着剤１２を介して裏面シート３の外面に不用意に固着されてしまうことがない。反応型接着剤や自己粘着性塗料、メカニカルファスナを使用する場合は、剥離紙１０，１１の外面どうしの剥離強度が粘着域７，８に対する剥離紙１０，１１の剥離強度よりも大きいことが必要である。
【００４６】
表面シート２には、親水性繊維不織布、多数の開孔を有する疎水性繊維不織布、微細な多数の開孔を有する透液性プラスチックフィルムのいずれかを使用することができる。
【００４７】
裏面シート３には、疎水性繊維不織布、通気不透液性プラスチックフィルム、疎水性繊維不織布を重ね合わせた複合不織布、疎水性繊維不織布と通気不透液性プラスチックフィルムとを重ね合わせた複合シートのいずれかを使用することができる。裏面シート３には、高い耐水性を有するメルトブローン法による繊維不織布の両面を、高い強度と良好な柔軟性とを有するスパンボンド法による繊維不織布で挟んだ複合不織布を使用することもできる。
【００４８】
不織布には、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４９】
コア４は、フラッフパルプと高吸収性ポリマー粒子との混合物、または、フラッフパルプと高吸収性ポリマー粒子と熱可塑性合成樹脂繊維との混合物であり、所定の厚みに圧縮されている。コア４は、それの型崩れやポリマー粒子の脱落を防止するため、全体がティッシュペーパーや親水性繊維不織布等の透液性シートに包被されていることが好ましい。
【００５０】
シート２，３どうしの固着や表裏面シート２，３に対するコア４の固着には、ホットメルト型接着剤、または、ヒートシールやソニックシール等の熱による溶着手段を利用することができる。
【００５１】
【発明の効果】
本発明にかかる体液吸収性着用物品によれば、折り畳まれれた物品を展開すことで、前後端部のいずれか一方の粘着域から剥離紙が剥がれ、剥がれた剥離紙が他方の粘着域から剥離紙を剥がすときの摘みを形成する。この物品は、一方の剥離紙が他方の剥離紙を剥がすときの摘みとなるので、剥離紙を粘着域から容易に剥がすことができる。この物品は、指と粘着域との接触を防ぐことができ、粘着域に指の脂や埃が付着せず、粘着域の粘着力が低下してしまうことはない。
【００５２】
前端部に形成された粘着域と後端部に形成された粘着域とのいずれか一方に対する剥離紙の剥離強度が他方に対する剥離紙のそれよりも大きい物品では、物品を展開したときに、それら剥離紙が同時に粘着域から剥がれてしまうことはなく、一方の粘着域をおむつカバーやショーツに貼付した後、他方の粘着域から剥離紙を剥がし、他方の粘着域をショーツの内面に貼付することができる。この物品では、一方の粘着域をおむつカバーやショーツに貼付するときに、他方の粘着域がおむつカバーやショーツに不用意に貼り付いてしまうことを防ぐことができる。
【図面の簡単な説明】
【図１】吸収性パッドの斜視図。
【図２】図１のＩＩ−ＩＩ線端面図。
【図３】中央部が展開されたパッドの斜視図。
【図４】図３の状態からさらに前後端部が展開されたパッドの部分破断斜視図。
【図５】図１とは異なる態様の中央部が展開された吸収性パッドの斜視図。
【図６】図５の状態からさらに前後端部が展開されたパッドの部分破断斜視図。
【図７】生理用ナプキンの斜視図。
【図８】図７のＶＩＩＩ−ＶＩＩＩ線端面図。
【図９】展開されたナプキンの部分破断斜視図。
【符号の説明】
１Ａ　　　　　吸収性パッド（体液吸収性物品）
１Ｂ　　　　　吸収性パッド（体液吸収性物品）
１Ｃ　　　　　生理用ナプキン（体液吸収性物品）
２　　　　　　透液性表面シート
３　　　　　　不透液性裏面シート
４　　　　　　吸液性コア
５　　　　　　前端部
６　　　　　　中央部
７　　　　　　後端部
８　　　　　　粘着域
９　　　　　　粘着域
１０　　　　　　剥離紙
１１　　　　　　剥離紙
１２　　　　　　接着剤
１３　　　　　　摘み
【図１】
2004057306.tif 000003
【図２】
2004057306.tif 000004
【図３】
2004057306.tif 000005
【図４】
2004057306.tif 000006
【図５】
2004057306.tif 000007
【図６】
2004057306.tif 000008
【図７】
2004057306.tif 000009
【図８】
2004057306.tif 000010
【図９】
2004057306.tif 000011